(57)【要約】【課題】電子装置の操作性を向上させる。【解決手段】点灯可能な複数のボタン５を有し、当該ボタンを押下することにより所定の機能を実行する電子装置であり、前記複数のボタン５と関連つけられた音声情報を格納する音声メモリ部と、前記音声メモリに格納された複数の音声情報を再生する音声再生部と、前記音声再生部により上記複数の音声情報を所定の順序に従って再生するとき、上記再生中の音声情報に該当するボタンを点灯又は点滅させる点灯制御部と、を備える。【選択図】図２
2006134287.tif 000002
【特許請求の範囲】
【請求項１】
点灯可能な複数のボタンを有し、当該ボタンを押下することにより所定の機能を実行する電子装置において、
前記複数のボタンと関連つけられた音声情報を格納する音声メモリ部と、
前記音声メモリに格納された複数の音声情報を再生する音声再生部と、
前記音声再生部により上記複数の音声情報を所定の順序に従って再生するとき、上記再生中の音声情報に該当するボタンを点灯又は点滅させる点灯制御部と、を備えることを特徴とする電子装置。
【請求項２】
前記音声メモリ部に格納された音声情報が所定の機能を実現するために一連のボタンの押下を案内する音声ガイダンスに関する音声情報であり、
前記電子装置は、更に前記複数のボタンを覆う開閉可能なカバー部と、当該カバー開閉を検出する開閉検出部とを有し、当該開閉検出部が前記カバーの開きを検出したとき、当該カバーにより覆われていたボタンに関する所定の機能の音声案内を開始し、当該音声案内に従って該当するボタンが点灯又は点滅することを特徴とする請求項１記載の電子装置。
【請求項３】
前記カバーが閉じている状態において、前記音声再生部は、前記カバーに覆われていないボタンに関する機能のガイダンスのみを再生することを特徴とする請求項２記載の電子装置。
【請求項４】
上記音声情報の再生中であって当該音声情報に該当するボタンが点灯又は点滅中に、前記点灯制御部が当該ボタンの押下を検出したとき、前記音声再生部は、次に続く音声情報の再生を開始することを特徴とする請求項２に記載の電子装置。
【発明の詳細な説明】
【技術分野】
【０００１】
本発明は、機能を実行するための操作にて複数のボタンを押下する型式の電子装置に関する。
【背景技術】
【０００２】
近年、特に、事務機器及び家電製品の電子装置では、数多くの機能を備えているが、その機能を実行するためのボタンが数多く設けられている。そのような電子装置では、最近、ユーザによる操作性を高めるために、音声ガイダンス機能を備えたものが普及してきた。
【特許文献１】特開平６−３０１７３号公報
【発明の開示】
【発明が解決しようとする課題】
【０００３】
しかしながら、機能毎に複数のボタンの押下が必要な場合には、そのボタンの名称もかつその配置位置も分かりづらく、どのボタンを順次押せば良いのか判断しづらく、一機能の操作にかなりの時間を要するという問題が出てきた。
【０００４】
そこで、本発明は、確実な操作案内による高い操作性を有する電子機器を提供することを目的とする。
【課題を解決するための手段】
【０００５】
上述の問題を解決する為に、本発明において、請求項１に記載した本発明に係る電子装置では、点灯可能な複数のボタンを有し、当該ボタンを押下することにより機能を実行する電子装置において、複数のボタンに関する音声情報を当該ボタンと関連つけて格納する音声メモリ部と、音声メモリに格納された複数の音声情報を再生する音声再生部と、音声再生部により上記複数の音声情報を所定の順序に従って再生するとき、上記再生中の音声情報に該当するボタンを点灯又は点滅させる点灯制御部と、を備えて構成される。この構成により、ユーザは、音声及び視覚による操作案内を受けることになり、操作を確実に行うことが可能となる。
【０００６】
請求項２に記載した本発明に係る電子装置では、音声メモリ部に格納された音声情報が所定の機能を実現するために一連のボタンの押下を案内する音声ガイダンスに関する音声情報であり、電子装置は、更に複数のボタンを覆う開閉可能なカバー部と、当該カバー開閉を検出する開閉検出部とを有し、当該開閉検出部がカバーの開きを検出したとき、当該カバーにより覆われていたボタンに関する所定の機能の音声案内を開始し、当該音声案内に従って該当するボタンが点灯又は点滅するように構成されている。この構成により、新たに露出したボタンの説明が行われることになり、ユーザは、既に露出していたボタンに加えて、新たに露出したボタンについてガイダンスを受けることとなり、ボタンに関する操作前の知識を知ることができ、操作が容易となる。
【０００７】
請求項３に記載した本発明に係る電子装置では、カバーが閉じている状態において、音声再生部は、カバーに覆われていないボタンに関する機能のガイダンスのみを再生するように構成されている。この構成により、ユーザは、複数のボタンのうち、露出しているボタンのみ操作すればいいために極めて操作性が高くなる。
【０００８】
請求項４に記載した本発明に係る電子装置では、上記音声情報の再生中であって当該音声情報に該当するボタンが点灯又は点滅中に、点灯制御部が当該ボタンの押下を検出した
とき、音声再生部は、次に続く音声情報の再生を開始するように構成される。この構成により、ユーザは、必要のない音声ガイダンスを聞く必要がなくなり、ユーザにとって操作時間が短縮できる。
【発明の効果】
【０００９】
本発明によれば、ユーザは、音声と視覚との両方による操作案内を受けることにより、操作性が向上し、かつ操作時間を短縮できる。
【発明を実施するための最良の形態】
【００１０】
本発明に係わる電子装置の実施の形態を、ファクシミリ装置を例に、図面に沿って詳細に説明する。
【００１１】
（実施の形態１）
図１は、本発明の実施の形態を説明するためのファクシミリ装置の操作パネル部の概観図である。図１において、１はファクシミリ装置の作動状態等を表示する表示部であり、２は予め登録されている電話番号に自動的に電話を掛ける為のボタン（ワンタッチダイヤルボタン）、３は音声ガイダンスを開始する音声ガイダンスボタン、４は時間設定やユーザの名前等の機能登録を開始するボタン（機能登録ボタン）、５は数字を入力するダイヤルボタン、６はコピー機能を作動させるコピーボタン、７はファックス送信のためのファックスボタン、８は動作停止ボタン（ストップボタン）、９は留守番電話機能を作動させる留守設定ボタン、１０は通話の保留やコードレス子機の呼び出しのための呼出しボタン、１１はファックス送信やコピー時に原稿の挿入口を示すガイドＬＥＤ、１２は音量設定や機能登録時の詳細選択ボタンである。
【００１２】
尚、本ファクシミリ装置の電源投入時、または、音声ガイダンスボタン３がユーザによって押下された場合、音声ガイダンスが開始される。
【００１３】
図２は、本実施の形態のファクシミリ装置の機能ブロック図である。
【００１４】
図２において、音声データ格納部２０は、ファクシミリ装置の各機能を実行するための操作を指示する複数の音声ガイダンスを格納する。当該ガイダンスは、所定の機能を実行するための複数のボタンの操作を操作手順に従って音声により案内指示するものであり、当該案内に沿って押下すべきボタンを指示する。更に、当該ガイダンスに含まれる各音声情報は、押下すべきボタンと関連付けされて格納されている。
【００１５】
音声データ変換部２１は、音声データ格納部２０からの音声ガイダンス（音声情報）を出力可能な音声データに変換し、音声出力部（スピーカ）２２から音声として出力する。ユーザにより音声ガイダンスボタン３が操作されると、ボタン操作検出部２６がその押下を検出し、当該検出が通知された制御部（ＣＰＵ）２３は、音声ガイダンスを開始するように制御する。
【００１６】
当該制御部２３は、その音声ガイダンスの作動開始に同期して、ボタン点灯制御部２４に各音声情報と関連する各操作ボタンの点滅又は点灯を順次実行させる。
【００１７】
更に、音声ガイダンスボタン３の他に、カバー部１３が開いたことによっても音声ガイダンスが開始される。すなわち、使用者が操作パネル部を覆うカバー部１３が開いて操作パネル部全体を露出させた状態になった時、その事を検知したカバー開閉検出部の検知信号が制御部２３に通知され、それに従って制御部２３は音声ガイダンスを開始する（図３、図４参照）。制御部２３が音声ガイダンスを開始すると、所定の音声ガイダンス、即ち、カバー部１３に覆われていた複数のボタンに関する機能を実行するための音声ガイダン
スが自動的に作動するように制御する。
【００１８】
尚、このカバー開閉検出部がカバー部１３が閉じていることを検出しているときには、カバー部により覆われていない各ボタンに関する音声ガイダンスのみが出力される。よって、本実施の形態では、電話による通話機能に関する音声ガイダンスのみが出力される。
【００１９】
また、原稿挿入検出部２５は、ユーザにより原稿挿入部（後述）に原稿が装置上の所定の位置に挿入設定されたことを検出する。
【００２０】
更に、電源投入検出部２８は、電源が投入されたことを検知し、制御部２３にその検知を通知すると、制御部２３は、所定の音声ガイダンスを出力させる。
【００２１】
次に、本発明の実施の形態におけるファクシミリ装置の動作を図面に沿って説明する。
【００２２】
図５において、ユーザが電源を投入し、当該投入を電源投入検知部が検知したとき又は音声ガイダンスボタン３が押下されたことをボタン操作検出部２６が検出したときには、以下のような動作を開始する。
【００２３】
先ず、ステップＳ１にて、音声ガイダンスとして『コピーをする場合は、コピーボタンを押してください。』が出力部２２から音声として出力される。同時に、制御部２３は、ボタン点灯制御部２４にコピーに関連するボタンであるコピーボタン６が点灯又は点滅するように制御させる。
【００２４】
ステップＳ２にて、コピー操作ボタンが操作されたか否かを検出し、操作されれば、コピー操作に関する音声案内（ガイダンス）を開始する（ステップＳ３）。
また、当該操作がなされず、一定時間経過後には（ステップＳ４）、次の音声ガイダンスに移行する。
ステップＳ５にて、音声ガイダンスとして『ファックスを送る場合は、ファックスボタンを押して下さい。』が出力部２２から音声として出力される。制御部２３は、ボタン点灯制御部２４にファックス送信に関連するボタンであるファックスボタン７が点灯又は点滅するように制御させる。
【００２５】
ステップＳ６にて、ファックスボタン７が操作されると、ファックス通信機能のための音声ガイダンスが作動する（ステップＳ７）。
【００２６】
また、当該操作がなされず、一定時間経過後には（ステップＳ８）、次の機能作動のための音声ガイダンス（ステップＳ９）に移行する。例えば、ワンタッチボタン２、機能登録ボタン４、留守設定ボタン９と、順次各機能の音声ガイダンスが出力され、同時に機能作動のために必要な操作ボタンが点灯又は点滅する。
【００２７】
更に、あるボタンが点灯中に、ユーザがそのボタンを押下すると、その押下をボタン操作検出部２４が検出し、制御部２３は、出力中の音声ガイダンスを中止させ、次の音声ガイダンスに切り替える。
【００２８】
尚、各ボタンの点灯等と伴に、ＬＣＤ１等の表示部にも文字による説明が出れば、ユーザの認知を向上させる事ができる事は容易に想像できる。
【００２９】
次に、図５のステップＳ７にて、ファックス通信音声案内が開始されたときの本装置の動作について図６に沿って説明する。
【００３０】
図６において、ステップＳ１１にて、ファックス通信機能のための音声ガイダンス『ファックスを送る場合は、送る面を下向きにして、ピットなるまで原稿を入れて下さい。』が開始されて、原稿挿入口ガイドボタン（ＬＥＤ）１１が点灯又は点滅する。
ステップＳ１２にて、当該ボタンの点灯又は点滅開始から所定の時間内に、ユーザが原稿をファクシミリ装置の所定の位置にセットしたことを原稿挿入検出部２５により検出した場合、その検出結果が制御部（ＣＰＵ）２３に送られると、制御部２３は、原稿を正規の位置まで自動的に引き込む（ステップＳ１３）。
【００３１】
また、ステップＳ１２にて、上記所定の時間内に上記検出がなされなかった場合、そのファックス送信のための音声ガイダンスを終了する（ステップＳ１４）。
【００３２】
ステップＳ１５では、音声ガイダンスとして、『送る相手の電話番号を入力し、最後にファックスボタンを押してください。』が出力され、同時に、ダイヤルボタン５７が点灯又は点滅する。
【００３３】
ステップＳ１６にて、上記ダイヤルボタンの点灯から所定の時間内にユーザによるダイヤルボタンの操作があった否か検知して、当該検知があれば、ステップＳ１７にて、ダイヤルボタンが消灯し、操作されたダイヤルボタンを音声にて読み上げる。当該機能については周知のため説明を省略する。
【００３４】
また、ステップＳ１６にて、当該検知がなければ、誤操作としてファックス送信案内を中止する（ステップＳ２５）。
【００３５】
ステップＳ１７にて、押下されたダイヤルボタンの読み上げが終了すると、ステップＳ１８にて、音声ガイダンスの『ファックスを送信します。』が出力され、ファックスボタンが点灯又は点滅し、ファックス送信のためのモードに移行する。
【００３６】
ステップＳ１９にて、ファックスボタンの点灯又は点滅から所定の時間内にユーザによるファックスボタンの操作があった場合、ファックスボタンは消灯し（ステップＳ２０）、ファックスの送信動作が開始される（ステップＳ２１）。また、ステップＳ１９にて、上記操作がなかった場合、ステップＳ２５に移行する。
【００３７】
ステップＳ２１にて、ファクシミリ装置は、入力された電話番号に自動的に電話をして、所定の手続きに従って相手先のファクシミリ装置にデータ転送を行う。ファックス送信の可否に従って下述の状態へ移行する。
【００３８】
ステップＳ２２にて、正常にファックス送信が終了した場合、音声ガイダンスは『ファックスを送信しました。』と出力される（ステップＳ２３）。
【００３９】
一方、ステップＳ２２にて、ファックス送信が、何らかの理由でエラーとなった場合、音声ガイダンスは『ファックスを送信できませんでした。』と出力し、ファックスボタンが所定時間点灯し、その後消燈する（ステップＳ２６）。
【００４０】
本ファクシミリ装置は電話機能を有し、ユーザは、通常電話機能を使用する操作については、十分な知識を持っているが、コピー、ファックス送信等の頻繁に使用しない操作についての知識は少ない。そこで、本ファクシミリ装置では、コピーボタン６やファックスボタン７を覆っているカバー部１３が開かれたことを開閉検出部２７が検知した場合（または音声ガイダンスボタン３が押された場合）には、検出部１７は、その検出結果を制御部２３に送信し、制御部２３は、コピー、ファックス送信機能の音声ガイダンスを開始する（図４（ａ）から（ｂ））。音声ガイダンスの内容及びその手順については、図５及び
図６に示す内容と同一である。
【００４１】
上述した音声ガイダンスの音声については、予め録音しておいたものであっても、機械的に合成した音声であっても、その効果についての差は無く、内部構成を一部変更する事により対応が可能となる。
【００４２】
なお、上述したボタンの点灯点滅についても、ボタンそのものが点灯点滅しなくても、ユーザに操作ボタンと連動していることが容易に理解できる位置にボタンとＬＥＤ等の照明装置を配置することで、ボタンそのものが点灯点滅するのと同様の効果が期待できる。
【００４３】
その概要を、図７に示す。図７は、操作ボタンそのものが、点灯／点滅するのでなく、操作ボタンに連動したＬＥＤ等の照明装置を配置した場合の操作部の概要である。
【００４４】
この様にする事により、ボタン自体が点灯点滅する必要が無く。ボタン自体を点灯点滅させる為に半透明にする等の必要が無くなり安価に実現する事が期待できる。
また、上述の説明では、装置そのものにボタンと音声ガイダンスの送出部が同一に存在する状態で説明を行ってきたが、ビデオやテレビのリモコン等では、その操作はリモコンで行うが、実際の機能は離れた場所にある各種装置が行う場合がある。
【００４５】
リモコンとビデオやテレビ等の間で、無線／有線で、相互にデータ交換を行う事で、リモコンで設定した内容が、ビデオやテレビの機能として実現されている。このような場合にも、リモコンのボタンが点灯／点滅する事とビデオやテレビ上に、設定に関する音声ガイダンスを同期して発生させる事により、操作ボタンと音声ガイダンスの送出部が同一に存在した場合と同様の効果が得られる。
【００４６】
以上、本実施の形態では、説明してきたとおりに、操作部のボタンがＬＥＤ等の照明装置によっての点灯、点滅と音声ガイダンスの連動により、ユーザの目的とする機能の実現に誘導する事により、ユーザが、取り扱い説明書等を熟読しなくても、目的とする機能を容易に実現する事が可能となると伴に、誤操作による誤設定を防止する事ができ、各種電子装置を快適に使用する事ができる。
【００４７】
（実施の形態２）
図８は、本発明の他の実施の形態におけるファクシミリ装置の外観図である。図８において、図８（ａ）はカバー部３０を閉じた状態、図８（ｂ）はカバー部３０を開いて操作パネル部全体を露出させた状態を示す。３１はファクシミリ装置の作動状態等を表示する表示部であり、３４は時間設定やユーザの名前等の機能登録を開始するボタン（機能登録ボタン）、３５は数字を入力するダイヤルボタンである。３６はコピー機能を作動させるコピーボタン、３７はファックス送信のためのファックスボタンである。３８は動作停止ボタン（ストップボタン）、３９は留守番電話機能を作動させる留守設定ボタンである。
【００４８】
４１は原稿挿入口付近に設けられ、ファックス送信やコピー時にユーザーに原稿の挿入口の位置を示すためのガイドＬＥＤである。４２は音量設定や機能登録時、及び電話帳の読み出し／追記等を行うための詳細選択ボタンである。４３は原稿を挿入するための原稿挿入口である。
【００４９】
４４はカバー開閉検出の為のスイッチボタン、４５はカバー部３０の裏面のスイッチボタン４４と対向する位置に突設されたリブである。カバー部３０を完全に閉じたときにリブ４５がスイッチボタン４４を押し、カバー開状態を示す検知信号が制御部２３に通知される。またカバー部３０が開いたときにリブ４５がスイッチボタン４４から離れ、カバー開状態を示す検知信号が制御部２３に通知される。
【００５０】
４６はカバー部３０を閉じたときに表示部３１を露出させるためにカバー部３０に設けられた表示部窓、４７はカバー部３０を閉じたときにダイヤルボタン３５を露出させるためにカバー部３０に設けられたダイヤルボタン窓、４８はカバー部３０を閉じたときに留守設定ボタン３９を露出させるためにカバー部３０に設けられた留守ボタン窓である。図８（ａ）に示すようにカバー部３０を閉じた状態では、これらの窓により表示部３１とダイヤルボタン３５と留守設定ボタン３９のみが露出し、他のボタンはカバー部３０に隠された状態となる。また図８（ｂ）に示すようにカバー部３０を開くことにより、全ボタン類が露出する。
【００５１】
なお、本実施の形態のファクシミリ装置のハード構成については、図２に示す機能ブロック図の構成と同様であるので、詳細な説明は省略する。
【００５２】
次に、本発明の実施の形態におけるファクシミリ装置の動作を図面に沿って説明する。図８（ａ）に示す状態からユーザーが操作パネル部を覆うカバー部３０を開いて図８（ｂ）に示す状態になると、リブ４５がスイッチボタン４４から離れ、カバー開状態を示す検知信号が制御部２３に通知される。図１０において、カバー開状態を示す検知信号が制御部２３に通知されると、該検知信号に従ってタイマを起動させ（ステップＳ１）、該タイマの計時が所定時間（例えば２秒程度）を経過してから（ステップＳ２）、自動的に音声ガイダンスの機能を作動させる。
【００５３】
ステップＳ３にて、音声ガイダンスとして『コピーをする場合は、コピーボタンを押してください。ファックスを送る場合は、ファックスボタンを押して下さい。』が出力部２２から音声として出力される（ステップＳ３）。同時に、制御部２３は、ボタン点灯制御部２４にコピーボタン３６に内蔵されたＬＥＤ、ファックスボタン３７に内蔵されたＬＥＤを共に点滅させるように制御する。
【００５４】
なお、カバー部３０が開いて前記タイマの計時が前記所定時間（例えば２秒程度）を経過する前に他の操作がなされると（ステップＳ４）、コピーやファックス以外の動作であると判断して、音声ガイダンスは作動させず、操作に従って他の動作を開始する。また、何の操作もなされないまま一定時間が経過すると、動作を終了する旨の音声ガイダンスを出す。
【００５５】
ステップＳ５にて、コピーボタン３６が操作された事が検出されればコピー操作のための音声案内が開始され（ステップＳ６）、ステップＳ７にてファックスボタン３７が操作された事が検出されればファックス送信に関する音声案内が開始される（ステップＳ８）。
【００５６】
また、コピーボタン３６が操作された事が検出されれば（ステップＳ５）、コピーに関連するボタンであるコピーボタン３６のみ点灯し続け、他方すなわちファックスボタン３７は消灯する。またファックスボタン３７ボタンが操作された事が検出されれば（ステップＳ７）、ファックス送信に関連するボタンであるファックスボタン３７のみ点灯し続け、他方すなわちコピー操作ボタン３６は消灯する。
【００５７】
なお、ステップＳ３で、コピーボタン，ファックスボタンが点滅を開始し、その後所定期間何れのボタン操作もなされない場合（ステップＳ９）、再度各機能の音声ガイダンス『コピーをする場合はコピーボタンを〜、ファックスを送る場合はファックスボタンを〜』を繰り返す（ステップＳ１０）。
【００５８】
以下、ファックス送信に関する音声案内について説明する。ファックスボタン３７の操
作によって最初の原稿読み取りのステップに移行し、音声ガイダンス『原稿は、送る面を下向きにして、ピットなるまで原稿を入れて下さい。』が開始され、同時にガイドＬＥＤ４１を点滅させる（ステップＳ１１）。ユーザはガイドＬＥＤ４１の付近にある原稿挿入口４３に原稿５０を挿入する。図９は原稿５０を挿入した状態を示す。
【００５９】
ステップＳ１２にて、当該ボタンの点灯開始から所定の時間内に、ユーザが原稿５０をファクシミリ装置の所定の位置にセットしたことを原稿挿入検出部２５により検出した場合、制御部２３は原稿５０を正規の位置まで自動的に引き込む（ステップＳ１３）。なお、所定の時間内に原稿挿入が検出できない場合は誤操作と見なして音声ガイダンスを終了する（ステップＳ１４）。
【００６０】
原稿５０が正規の位置まで引き込まれると、次の送信相手電話番号の入力を促す音声ガイダンスとして『送る相手の電話番号を入力し、最後にファックスボタンを押してください。』を出力する（ステップＳ１５）。同時にダイヤルボタン３５に内蔵されたＬＥＤを点滅させる。
【００６１】
上記ダイヤルボタンの点滅開始から所定の時間内にユーザによるダイヤルボタンの操作を検知すると（ステップＳ１６）、該ダイヤルボタンを点滅から連続点灯に切り換え、さらにファックスボタン３７の点滅を開始する。またユーザによって操作されたダイヤルボタンを音声にて読み上げる（ステップＳ１７）。所定期間ダイヤルボタンの操作がなされない場合、またはファックスボタンの操作がなされない場合、再度前記入力を促す音声ガイダンスを出す（ステップＳ２５）。
【００６２】
ここでユーザが点滅状態のファックスボタン３７を押下すると、ファックスボタンを消灯し、音声ガイダンス『ファックスを送信します。』を出力する（ステップＳ２０）。その後、ファックスの送信動作が開始される（ステップＳ２１）。すなわち、ファクシミリ装置は入力された電話番号に自動的に発信をかけ、所定の手続きに従って相手先のファクシミリ装置にデータ転送を行う。
【００６３】
ステップＳ２２にて、正常にファックス送信が終了した場合、音声ガイダンスは『ファックスを送信しました。』と出力される（ステップ２３）。一方、ファックス送信が、何らかの理由でエラーとなった場合、音声ガイダンスは『ファックスを送信できませんでした。』を出力し、再度ファックスボタンの点滅を所定時間だけ行う（ステップ２６）。
【００６４】
なお、ファックスボタン３７が操作された時点で、すでに原稿が挿入済であって原稿挿入検出部２５が原稿を検出しておれば、原稿読み取りのステップ（ステップＳ１１，Ｓ１２，Ｓ１３）をパスし、直ぐにステップＳ１５に移行し、送信相手電話番号の入力を促す音声ガイダンスを出力する。
【００６５】
以下、コピーに関する音声案内について説明する。コピーボタン３６の操作によって最初の原稿読み取りのステップに移行し、音声ガイダンス『原稿のコピーする面を下向きにして、ピットなるまで原稿を入れて下さい。』が開始され、同時にガイドＬＥＤ４１を点滅させる（ステップＳ３１）。
【００６６】
ステップＳ３２にて、当該ボタンの点灯開始から所定の時間内に、ユーザが原稿をファクシミリ装置の所定の位置にセットしたことを原稿挿入検出部２５により検出した場合、制御部２３は原稿を正規の位置まで自動的に引き込む（ステップＳ３３）。
【００６７】
原稿が正規の位置まで引き込まれると、次の操作を促す音声ガイダンスとして『コピーボタンを押してください。』を出力し、同時にコピーボタン３６を点滅させる（ステップ
Ｓ３４）。
【００６８】
所定時間内にユーザによるコピーボタン３６の操作を検知すると（ステップＳ３５）、該コピーボタンを点滅から連続点灯に切り換え（ステップＳ３６）、音声ガイダンス『コピーを開始します。』を出力する（ステップＳ３７）。その後、コピー動作が開始される（ステップＳ３８）。
【００６９】
ステップＳ３９にて、正常にコピー動作が終了した場合、音声ガイダンス『コピーが終了しました。』と出力される（ステップＳ４０）。一方、コピー動作が何らかの理由でエラーとなった場合、音声ガイダンスは『正常にコピーできませんでした。』を出力し（ステップＳ４１）、待機状態へ移行する。なお、ステップＳ３２において所定の時間内に原稿挿入が検出できない場合は誤操作と見なして音声ガイダンスを終了する（ステップＳ４２）。
【産業上の利用可能性】
【００７０】
本発明は、ファクシミリ装置に限定されず、操作パネルに複数の操作ボタンを有する電子装置に適応される技術であり、ユーザの操作性を高めることが可能である。
【図面の簡単な説明】
【００７１】
【図１】本発明における電子装置の実施の形態１としてのファクシミリ装置の操作部を示す概念図
【図２】同ファクシミリ装置の機能構成を示すブロック図
【図３】同ファクシミリ装置のカバーを閉じた場合の操作部の概念図
【図４】（ａ）同ファクシミリ装置のカバーを閉じた場合の操作部の概観斜視図、（ｂ）同ファクシミリ装置のカバーを開いた場合の操作部の概観斜視図
【図５】同ファクシミリ装置にて主動作の流れを示したフローチャート
【図６】同ファクシミリ装置にてファックス送信動作の流れを示したフローチャート
【図７】同ファクシミリ装置にて操作ボタンに連動した位置にＬＥＤ等の照明装置を配置した場合の概念図
【図８】（ａ）本発明における電子装置の実施の形態２としてのファクシミリ装置のカバーを閉じた場合の操作部の概観斜視図、（ｂ）同ファクシミリ装置のカバーを開いた場合の操作部の概観斜視図
【図９】同ファクシミリ装置のカバーを開き原稿を挿入した状態を示す斜視図
【図１０】同ファクシミリ装置にて主動作の流れを示したフローチャート
【図１１】同ファクシミリ装置にてファックス送信動作の流れを示したフローチャート
【図１２】同ファクシミリ装置にてコピー動作の流れを示したフローチャート
【符号の説明】
【００７２】
１    表示部
２    ボタン（ワンタッチダイヤルボタン）
３    音声ガイダンスボタン
４    機能登録ボタン
５    ダイヤルボタン
６    コピーボタン
７    ファックスボタン
８    動作停止ボタン（ストップボタン）
９    留守設定ボタン
１０    呼出しボタン
１１    ガイドＬＥＤ
１２    選択ボタン
２０    音声データ格納部
２１    音声データ変換部
２２    音声出力部（スピーカ）
２３    制御部
２４    ボタン点灯制御部
２５    原稿挿入検出部
２６    ボタン操作検出部
２７    カバー開閉検出部
２８    電源投入検出部
【図１】
2006134287.tif 000003
【図２】
2006134287.tif 000004
【図３】
2006134287.tif 000005
【図４】
2006134287.tif 000006
【図５】
2006134287.tif 000007
【図６】
2006134287.tif 000008
【図７】
2006134287.tif 000009
【図８】
2006134287.tif 000010
【図９】
2006134287.tif 000011
【図１０】
2006134287.tif 000012
【図１１】
2006134287.tif 000013
【図１２】
2006134287.tif 000014